(57)【要約】【課題】握る力が低下した人でも開栓操作や閉栓操作を容易に行うことができる旋回力付与の補助部材を備えた容器蓋を提供する。【解決手段】天面壁１１と天面壁の周縁から垂下する筒状のスカート壁１２とを有し、スカート壁の外周部には、外周部の外側に突出し、軸方向１０ａに延在する滑り止め用のナール部１３を周方向に亘って複数形成した容器蓋１０において、天面壁上面には上壁１４ａと側壁１４ｂとからなる膨出部１４が形成されており、膨出部の側壁には弧状のアーム部１６が少なくとも１個設けられており、アーム部は、その外径１６ｃがスカート壁の外径１２ｃより小さく、その一端１６ａが連結部１７によって側壁と回動自在にヒンジ連結されており、連結部を基点としてその他端１６ｂをスカート壁の外方に拡開することによって、容器蓋の開栓又は閉栓時の旋回力付与の補助部材とする。【選択図】図１
2014162534.tif 000002
【特許請求の範囲】
【請求項１】
天面壁と該天面壁の周縁から垂下する筒状のスカート壁とを有し、
前記スカート壁の外周部には、該外周部の外側に突出し、
軸方向に延在する滑り止め用のナール部を周方向に亘って複数形成した容器蓋において、
前記天面壁上面には上壁と側壁とからなる膨出部が形成されており、該膨出部の該側壁には弧状のアーム部が少なくとも１個設けられており、
該アーム部は、その外径がスカート壁の外径より小さく、
その一端が連結部によって該側壁と回動自在にヒンジ連結されており、
該連結部を基点としてその他端を前記スカート壁の外方に拡開することによって、
容器蓋の開栓又は閉栓時の旋回力付与の補助部材となることを特徴とする容器蓋。
【請求項２】
前記アーム部は、前記側壁に沿って閉栓方向に伸延する開栓用アーム部を備えていることを特徴とする請求項１に記載の容器蓋。
【請求項３】
前記アーム部は、前記側壁に沿って開栓方向に伸延する閉栓用アーム部を備えていることを特徴とする請求項２に記載の容器蓋。
【請求項４】
前記膨出部の前記側壁には、前記アーム部の過剰の拡開を停止するためのストッパ部が備えられていることを特徴とする請求項１乃至３のいずれかに１項に記載の容器蓋。
【請求項５】
前記側壁及び前記アーム部には、拡開後の該アーム部を収納する際、互いが係止する係止手段が備えられていることを特徴とする請求項１乃至４のいずれか１項に記載の容器蓋。
【請求項６】
前記アーム部は、容器蓋と薄肉のブリッジで接続されており、
前記連結部を基点としてその他端を前記スカート壁の外方に拡開するときに該ブリッジを切断するようにしたことを特徴する請求項１乃至５のいずれか１項に記載の容器蓋。
【発明の詳細な説明】
【技術分野】
【０００１】
本発明は、飲料、洗剤、薬剤などの液体を収容する容器の口部に設けられ、ネジ機構を備えた容器蓋の開栓又は閉栓時の旋回力付与の補助部材を備えた容器蓋に関する。
【背景技術】
【０００２】
コーヒーや清涼飲料水などの容器の容器蓋には、容器蓋を開閉する際の滑り止め用として、有底円筒体形状の天面壁の周縁から垂下する筒状のスカート壁の外周部に、その外側に突出するように、軸方向に延在するナール部（いわゆる縦リブ、ローレットなどともいう）が周方向に亘って複数形成されている。近年、省資源化、コスト削減のため、容器蓋は、スカート壁の高さの低いものや容器蓋の径の小さいものが使用されている。
このような場合、指で容器蓋の外周を握る面積が小さくなり、開栓初期において大きな力を必要とする。
また、容器蓋の径の小さいものでは指で握る力が掛かり難く、開栓時の困難さがある。このような開栓時の困難さを解決するため、容器蓋の開栓を容易にしたものがある。例えば、特許文献１には、ペットボトルのキャップの外径形状に合致する内径形状をもつリング状本体の側面にハンドル部と小さな穴を設け、ペットボトルのキャップを開ける機能を持たせると同時に、ハンドル部に缶入り飲料のプルを開ける機能を持たせ、ペットボトルを開ける際にはリング状本体が径の大きな開栓補助具として働くようにした携帯ジュースオープナーが記載されている。
【０００３】
【特許文献１】特開２００４−７５１８６号公報
【発明の概要】
【発明が解決しようとする課題】
【０００４】
しかしながら、特許文献１の開栓補助具は、容器蓋とは別体であるために、外出時等においては携行しなければならず、開栓の都度取り付け、使用後は取り外すという点で煩雑面倒であり、また嵩張るという問題がある。
【０００５】
本発明は、上記問題点に鑑み、ネジ機構を備えた容器蓋の開栓操作や閉栓操作時において、容器蓋の回転操作時における容器開口部と容器蓋との相対的な回転に必要とされる旋回力を増幅させたものとすることができ、握る力が低下した人でも開栓操作や閉栓操作を容易に行うことができる旋回力付与の補助部材を備えた容器蓋を提供することを目的とする。
【課題を解決するための手段】
【０００６】
（１）本発明の容器蓋は、天面壁と該天面壁の周縁から垂下する筒状のスカート壁とを有し、前記スカート壁の外周部には、該外周部の外側に突出し、軸方向に延在する滑り止め用のナール部を周方向に亘って複数形成した容器蓋において、前記天面壁上面には上壁と側壁とからなる膨出部が形成されており、該膨出部の該側壁には弧状のアーム部が少なくとも１個設けられており、該アーム部は、その外径がスカート壁の外径より小さく、その一端が連結部によって該側壁と回動自在にヒンジ連結されており、該連結部を基点としてその他端を前記スカート壁の外方に拡開することによって、容器蓋の開栓又は閉栓時の旋回力付与の補助部材となることを特徴とする。
（２）本発明の容器蓋は、前記（１）において、前記アーム部は、前記側壁に沿って閉栓方向に伸延する開栓用アーム部を備えていることを特徴とする。
（３）本発明の容器蓋は、前記（２）において、前記アーム部は、前記側壁に沿って開栓方向に伸延する閉栓用アーム部を備えていることを特徴とする。
（４）本発明の容器蓋は、前記（１）乃至（３）のいずれかにおいて、前記膨出部の前記側壁には、前記アーム部の過剰の拡開を停止するためのストッパ部が備えられていることを特徴とする。
（５）本発明の容器蓋は、前記（１）乃至（４）のいずれかにおいて、前記側壁及び前記アーム部には、拡開後の該アーム部を収納する際、互いが係止する係止手段が備えられていることを特徴とする。
（６）本発明の容器蓋は、前記（１）乃至（５）のいずれかにおいて、前記アーム部は、容器蓋と薄肉のブリッジで接続されており、前記連結部を基点としてその他端を前記スカート壁の外方に拡開するときに該ブリッジを切断するようにしたことを特徴する。
【発明の効果】
【０００７】
本発明の容器蓋は、ネジ機構を備えた容器蓋の開栓操作や閉栓操作の補助部材であって、非操作時には容器蓋の切欠き部内に収納され、操作時には容器蓋の切欠き部から拡開させ、容器蓋と一体的に回転する大径部を形成するアーム部を備えているので、容器蓋の回転操作時における容器開口部と容器蓋との相対的な回転に必要とされる旋回力を増幅させたものとすることができる。
また、本発明の容器蓋は、アーム部の外径が容器蓋のスカート壁の外径より小さいため、キャッピング装置による容器蓋の巻き締めの際、容器蓋スカート壁を把持する容器蓋用チャックが、アーム部側面に接触することがなく、安定したキャッピングが可能となる。
【図面の簡単な説明】
【０００８】
【図１】本発明の実施形態の容器蓋の斜視図である。
【図２】（ａ）は実施形態の容器蓋の平面図であり、（ｂ）は正面図である。
【図３】実施形態の容器蓋を底方向から見た底面図である。
【図４】（ａ）は図２（ａ）のＡ−Ａ縦半断面図であり、（ｂ）はＢ−Ｂ縦半断面図である。
【図５】（ａ）は実施形態の容器蓋の開栓用アーム部を開栓方向に回動させた状態を示す平面図であり、（ｂ）は容器蓋の閉栓用アーム部を閉栓方向に回動させた状態を示す平面図である。
【発明を実施するための形態】
【０００９】
以下、本発明の実施形態の容器蓋について、図面を参照しながら説明する。
実施形態の容器蓋は、略円筒状の容器口部を有する外周部に形成された雄ネジ部に螺合して、飲料、洗剤、薬剤などの液体を収容する容器の口部を開閉する。
容器としては、例えば、ポリエチレンテレフタレート製の透明樹脂をブロー成形することによって形成され、略円筒状の胴部の下端に底部を有し、上部が窄まって形成される容器口部を有するペットボトルなどが挙げられる。
【００１０】
実施形態の容器蓋を、図１の斜視図、図２（ａ）の平面図及び（ｂ）の正面図、図３の底面図、図４の縦半断面図を参照しながら説明する。
この容器蓋１０は、ポリエチレン、ポリプロピレンなどの合成樹脂などから形成され、
円板形状の天面壁１１とこの天面壁１１の周縁から垂下する筒状のスカート壁１２とを有する。
スカート壁１２の内周部には、螺旋状の雌ネジ部４１が形成されており（図４参照）、容器口部４０の外周部に形成される雄ネジ部４２（図４参照）に螺合するようになっている。
雌ネジ部４１を容器口部４０の雄ネジ部４２に螺合して容器蓋１０を容器口部４０に閉栓する際には、容器蓋１０の一端側を閉塞する天面壁１１によって容器口部４０を閉塞し、容器口部４０を繰り返し開放可能に閉塞することができるように構成されている。
【００１１】
＜ナール部＞
また、容器蓋１０のスカート壁１２の外周部には、容器蓋１０の軸１０ａ方向に延在する複数のナール部１３が、スカート壁１２の外側に突出して周方向に亘って形成されている。このナール部１３は、キャッピング装置による容器蓋１０の容器口部４０への巻き締め、容器蓋１０の開栓時や閉栓時の指押さえ時の滑り止め用の機能を果たす。
【００１２】
＜膨出部＞
また、天面壁１１の上面には、半径方向の内方へ進んだ位置から上方へ膨出した膨出部１４が形成されている。この膨出部１４は、上方の水平面を構成する上壁１４ａと、その周縁から垂下する筒状の側壁１４ｂとからなる。
なお、天面壁１１と側壁１４ｂとで仕切られた外側の空間を膨出部１４の切欠き部１５とする。
【００１３】
＜アーム部＞
また、膨出部１４の側壁１４ｂには、弧状のアーム部１６が少なくとも１個設けられている。このアーム部１６は、容器蓋１０の開栓又は閉栓時における補助部材であり、容器口部と容器蓋との相対的な回動に必要とされる旋回力をより小さなものとするためのものであり、容器蓋１０に一体的に設えられ、非操作時には膨出部１４の切欠き部１５内へ収納されているものである。
【００１４】
＜連結部＞
アーム部１６は、その一端１６ａが、連結部１７によって側壁１４ｂと回動自在にヒンジ連結され、他端は自由端１６ｂとなっており、操作時には、容器蓋１０からアーム部１６の自由端１６ｂ側を拡開させて、容器蓋１０と一体的に回動するアーム部１６の回動半径を増大させて大径部を形成する。すなわち、操作時において、連結部１７を基点として他端（自由端１６ｂ側）を水平面内で回動させて、側壁１４ｂから離脱拡開させるように構成されている。
これにより、アーム部１６は、容器蓋１０の開閉を操作するための旋回力を、容器蓋１０に増幅して伝達することができる。
なお、アーム部１６は、スカート壁１２の周長の約三分の一程度の長さに設定され、スカート壁１２の外周部に沿って、切欠き部１５に収納し得るように湾曲しており、全体として弧状に形成されている。
連結部１７は、側壁１４ｂの外周部の適所において、アーム部１６の一端１６ａをヒンジ連結して、アーム部１６を回動自在にする部位である。
容器蓋１０とヒンジ連結することにより、アーム部１６に対して加えた旋回力を、連結部１７を介して容器蓋１０に対して直接的に伝達して、容器蓋１０と一体的に回転させることができる。
【００１５】
＜アーム部の外径＞
また、アーム部１６の外径１６ｃは、容器蓋１０のスカート壁１２の外径１２ｃよりも小さく弧状に形成されている（図２（ｂ）参照）。こうすることによって、アーム部１６は、外径方向に嵩張らず、且つ、回動時にはアーム部１６をレバーのようにして拡開させることによって容器蓋１０に旋回力を付与することが可能となり、手や指を痛めることなく開栓操作時や閉栓操作時の補助効果を得ることができるようになる。また、キャッピング装置による容器蓋１０の巻き締めの際、容器蓋スカート壁１２を把持する容器蓋用チャックがアーム部側面に接触することがない為、従来と同様の安定したキャッピングが可能となる。
【００１６】
＜ストッパ＞
膨出部１４の側壁１４ｂには、外方に突出したストッパ部１８を設けることができる。これにより、アーム部１６を連結部１７を基点として拡開させる際にその回動を所定の角度で止めさせて、アーム部１６の過剰の拡開を停止させることができ、連結部１７の破断などを防止することができる。また、ストッパ部１８の形成位置は、アーム部１６の一端１６ａ側、すなわち連結部１７の近傍が好ましい。
【００１７】
＜係止手段＞
また、側壁１４ｂ及びアーム部１６には、拡開後のアーム部１６を切欠き部１５に収納する際、アーム部１６を側壁１４ｂに係止させる係止手段１９を備えることができる。すなわち、側壁１４ｂの適所には、僅かに外方に突出させた突起部１９ａを設け、対応するアーム部１６の内周面には、凹状に形成された凹部１９ｂを設け、これらの突起部１９ａ及び凹部１９ｂを係止手段１９とし、アーム部１６を側壁１４ｂに近接させた際に、アーム部１６に凹状に形成された凹部１９ｂを着脱自在に係止させて、アーム部１６と側壁１４ｂとを係止状態に保持することができるように構成されている。
これにより、非操作時には、アーム部１６の凹部１９ｂを側壁１４ｂの突起部１９ａに係止させて係止状態とし、邪魔にならないようにすることができると共に、キャップ外観を損なうこともない。操作時には、突起部１９ａから凹部１９ｂを離脱させて係止状態を解除し、アーム部１６を拡開させるようにすることができ、適宜、アーム部１６を安定して切欠き部１５内に収納させることができる。
【００１８】
＜ブリッジ＞
また、アーム部１６の下方部には、複数の薄肉のブリッジ２０を設け、容器蓋１０と接続させることができる。この薄肉のブリッジ２０は、アーム部１６の下面と容器蓋１０の天面壁１１とを繋ぐ部位であり、所定以上の力を加えると容易に断裂させ得、未操作状態であることを示唆すると共に、操作状態以前の状態（例えば、製品流通段階）においてアーム部１６が誤って拡開してしまうことを未然に防止して、安定的に容器蓋１０に接続させておくためのものである。
使用者が、容器蓋１０の開栓操作をする場合には、先ず操作初回時に、アーム部１６に開栓方向ｘに適当な大きさの拡開力を加えて、容器蓋１０とアーム部１６とを接続しているブリッジ２０を断裂させる。そして、そのまま連結部１７を基点としてアーム部１６の自由端１６ｂ側を回動させる。この際、ストッパ１８がアーム部１６の過剰の回転を停止させる。
【００１９】
＜開栓用アーム部、閉栓用アーム部＞
なお、アーム部１６は、図５（ａ）に示すように、容器蓋の上面から見て、側壁１４ｂに沿って連結部１７から閉栓方向ｙに伸延させて開栓用アーム部１６ｘとすることができる。
開栓用アーム部１６ｘとした場合は、開栓操作時において、連結部１７を基点として開栓用アーム部１６ｘの自由端１６ｂ側を側壁１４ｂから離脱させて拡開していき、ストッパ部１８によって開栓用アーム部１６ｘの拡開を停止させる。そして、指でスカート壁１２を握りながら、アーム部１６の内周面を指で押すことによって、キャップの開栓の補助が可能となる。
また、図５（ｂ）に示すように、側壁１４ｂに沿って連結部１７から開栓方向ｘに伸延させて閉栓用アーム部１６ｙとすることもできる。
閉栓操作時においては、連結部１７を基点として閉栓用アーム部１６ｙの自由端１６ｂ側を側壁１４ｂから離脱させて拡開していき、ストッパ部１８によって閉栓用アーム部１６ｙの拡開を停止させる。そして、指でスカート壁１２を握りながら、アーム部１６の内周面を指で押すことによって、容器蓋の閉栓の補助が可能となる。
これにより、開栓操作時と閉栓操作時とでアーム部をそれぞれ使い分けて、開栓操作時や閉栓操作時の補助効果をさらに簡易化することができるようになる。
また、図５（ａ）、（ｂ）から分かるように、ストッパ部１８は開栓用アーム部１６ｘと閉栓用アーム部１６ｙの間に形成することで、両者のストッパとして機能する。
さらに、図５（ａ）、（ｂ）で示すように、アーム部１６の自由端１６ｂ側は、アーム部１６の内周面と側壁１４ｂとの間隔を拡げるように細く形成することによって、アーム部１６を指で掴みやすくしている。
【産業上の利用可能性】
【００２０】
本発明の容器蓋は、ネジ機構を備えた容器蓋の開栓や閉栓操作の補助部材であって、非操作時には容器蓋の切欠き部内に収納され、操作時には容器蓋の切欠き部から拡開させ、容器蓋と一体的に回転する大径部を形成するアーム部を備えており、容器蓋の回転操作時における容器開口部と容器蓋との相対的な回転に必要とされる旋回力を増幅させることができるように構成されるものであって、産業上において様々な形態で実施することができる。
【符号の説明】
【００２１】
１０  容器蓋
１０ａ  容器蓋の軸方向
１１  天面壁
１２  スカート壁
１２ｃ  スカート壁の外径
１３  ナール部
１４  膨出部
１４ａ  上壁
１４ｂ  側壁
１５  膨出部の切欠き部
１６  アーム部
１６ａ  アーム部の一端
１６ｂ  アーム部の自由端（他端）
１６ｃ  アーム部の外径
１６ｘ  開栓用アーム部
１６ｙ  閉栓用アーム部
１７  連結部
１８  ストッパ部
１９  係止手段
１９ａ  突起部
１９ｂ  凹部
２０  ブリッジ
４１  雌ネジ部
４２  雄ネジ部
４０  容器口部
ｘ  開栓方向
ｙ  閉栓方向
【図１】
2014162534.tif 000003
【図２】
2014162534.tif 000004
【図３】
2014162534.tif 000005
【図４】
2014162534.tif 000006
【図５】
2014162534.tif 000007